(57)【特許請求の範囲】
【請求項１】
原色光に分光された光束を、それぞれ透過又は反射して光変調する複数の画素部からなる画素組を有する光変調素子と、前記画素組に対応する単位集光素子を有し、前記各原色光の光束を前記各画素部に集光する集光用光学素子と、前記各原色光の光束が対応する画素部以外の非対応画素部に入射することを防止する混色防止手段と、を含む光変調器であって、
前記混色防止手段は、前記集光用光学素子の入光側に、その光軸に略直交する方向に設けられており、
前記混色防止手段は、前記非対応画素部に入射する、少なくとも対応する原色光を通過させるか、又は、対応する原色光以外の原色光を反射して、分離するダイクロイック素子であることを特徴とする光変調器。
【請求項２】
請求項１に記載の光変調器において、前記光変調素子は、方形３分割したストライプ状の３つの画素部を備え、前記混色防止手段は、前記各画素部の配列方向の両端部に設けられていることを特徴とする光変調器。
【請求項３】
請求項２に記載の光変調器において、前記混色防止手段は、前記単位集光素子に沿って、前記各画素部の配列方向と交差する方向に配置されていることを特徴とする光変調器。
【請求項４】
請求項３に記載の光変調器において、前記混色防止手段により制限される光束形状は、前記画素組を開口と見なした場合にそれに制限される光束形状と略一致することを特徴とする光変調器。
【請求項５】
読み出し光を発生する光源と、前記光源から放射された光を原色光に分光する分光手段と、前記分光手段によって分光された光を変調する請求項１から請求項４までのいずれか１項に記載の光変調器と、前記光変調器によって変調された前記読み出し光を投写する投写手段と、を備えた投写型表示装置。
【請求項６】
請求項５に記載の投写型表示装置において、前記分光手段は、前記中央の画素部には、垂直な光束を入射させ、両側の画素部には斜めの光束を入射させることを特徴とする投写型表示装置。
【発明の詳細な説明】
【０００１】
【発明の属する技術分野】
本発明は、カラー表示用に適した単板の光変調器及びその光変調器を用いた投写型表示装置に関するものである。
【０００２】
【従来の技術】
従来、この種の投写型表示装置は、読み出し光を発生する光源と、その光源から放射された光を３つの原色光に分光し、それぞれ異なる角度に反射する分光手段と、その分光手段によって分光された光を光変調する光変調器とを備え、その光変調器によって変調した読み出し光を、スクリーンに拡大投写するものである。
【０００３】
特許第２６２２１８５号は、分光手段として、赤，緑，青の三原色を選択式に反射する３枚のダイクロイックミラーを設け、その方位角を所定の値に設定することにより、光源の光を無駄なく利用する発明を開示している。
【０００４】
【発明が解決しようとする課題】
図１１は、従来の光変調器とその課題を説明する図である。
【０００５】
光変調器１１０は、光変調素子１２０と、マイクロレンズアレイ１３０とを備えている。光変調素子１２０は、素子基板１２１と、信号電極１２２と、液晶層１２３と、走査電極１２４と、対向基板１２５等とを備えている。また、マイクロレンズアレイ１３０は、ベース部１３１と、マイクロレンズ１３２と、接着層１３３等とを備えている。
【０００６】
前述したダイクロイックミラーによって異なる角度に反射した原色光は、中央のマイクロレンズ１３２−１で集光される。この場合に、傾斜して出射する赤色光の光束Ｒは、大部分が中央のマイクロレンズ１３２−１に対応する画素部１２２Ｒ−１に入射するが、レンズの収差や各部品の加工誤差や組立誤差などによって、その一部Ｒｍが、上隣の対応しない画素部１２２Ｂ−２へ入射する可能性があった。このときに、青色用の画素部１２２Ｂ−２に、赤色光の光束Ｒが入射してしまうので、光の混色が発生し、色純度が悪くなる、という問題があった。また、青色光の光束Ｂについても、画素部１２２Ｂ−１に入射するはずの光束の一部Ｂｍが、下隣の画素部１２２Ｒ−３に入射して、同様の現象が発生する。
【０００７】
一方、中央の画素部１２２Ｒ−１，画素部１２２Ｂ−１は、上隣の画素部１２２Ｂ−２や下隣の画素部１２２Ｒ−３へ入射する分だけ、光の利用効率が悪くなるという問題があった。
【０００８】
これらの現象は、画素部が小型になるほど顕著になり、特に、光源からの出射光束の内でウェイトの高い平行光束による混色が高まるために、高精細化に対して不利になる。
【０００９】
本発明の目的は、混色を防止して、色純度を向上させると共に、光利用効率を向上させることができる小型で高精細な光変調器及び投写型表示装置を提供することである。
【００１０】
【課題を解決するための手段】
前記課題を解決するために、第１の発明は、原色光に分光された光束を、それぞれ透過又は反射して光変調する複数の画素部からなる画素組を有する光変調素子と、前記画素組に対応する単位集光素子を有し、前記各原色光の光束を前記各画素部に集光する集光用光学素子と、前記各原色光の光束が対応する画素部以外の非対応画素部に入射することを防止する混色防止手段と、を含む光変調器である。第１の発明は、混色防止手段を設けたので、非対応画素部に異なる原色光が入射することはなく、混色を防止することができる。
【００１１】
第２の発明は、第１の発明の光変調器において、前記混色防止手段は、前記集光用光学素子の入光側に、その光軸に略直交する方向に設けられていることを特徴とする光変調器である。第２の発明は、集光用光学素子の入光側で、混色を防止するので、形成が簡単であると共に、内部での迷光なども発生しない。
【００１２】
第３の発明は、第２の発明の光変調器において、前記混色防止手段は、前記非対応画素部に入射する光を遮光する遮光部であることを特徴とする光変調器である。第３の発明は、遮光部を設けたので、非対応画素部に入射する光を遮光することができ、混色を防止することができる。
【００１３】
第４の発明は、第２の発明の光変調器において、前記混色防止手段は、前記非対応画素部に入射する、少なくとも対応する原色光を通過させるか、又は、対応する原色光以外の原色光を反射して、分離するダイクロイック素子であることを特徴とする光変調器である。第４の発明は、ダイクロイック素子を用いたので、対応しない原色光を反射して、対応する原色光を、対応する画素部に入射させるので、混色を防止すると共に、光利用効率が向上する。
【００１４】
第５の発明は、第２の発明の光変調器において、前記光変調素子は、方形３分割したストライプ状の３つの画素部を備え、前記混色防止手段は、前記各画素部の配列方向の両端部に設けられていることを特徴とする光変調器である。第５の発明は、前記混色防止手段を画素組の両端部に設けたので、混色の発生しやすい原色光を有効に遮光することができる。
【００１５】
第６の発明は、第５の発明の光変調器において、前記混色防止手段は、前記単位集光素子に沿って、前記各画素部の配列方向と交差する方向に配置されていることを特徴とする光変調器である。第６の発明は、各画素部の配列方向とそれと交差する方向に混色防止手段を設けたので、斜めからの光束の混色を有効に防止することができる。
【００１６】
第７の発明は、第６の光変調器において、前記混色防止手段により制限される光束形状が、前記画素組を開口と見なした場合に前記画素組により制限される光束形状と略一致することを特徴とする光変調器である。第７の発明は混色防止手段により制限される光束形状を画素組により制限されるそれと一致させたため、混色を防止するとともに、光利用効率が向上する。
【００１７】
第８の発明は、第１の発明の光変調器において、前記混色防止手段は、前記集光用光学素子の出光側であって、その単位集光素子の光軸と略平行に設けられていることを特徴とする光変調器である。第８の発明によれば、集光用光学素子の出光側の場合には、光軸と略平行に混色防止手段を設けることにより、集光用光学素子と光変調素子とを１対１で対応させることができ、混色を有効に防止できる。
【００１８】
第９の発明は、第８の発明の光変調器において、前記集光用光学素子と前記光変調素子との間に、前記単位集光素子と前記画素組に対応するファイバ素子が複数配置されたファイバアレイを備え、前記混色防止手段は、前記ファイバアレイの前記各ファイバ素子の間に設けられた遮光部又は光吸収部であることを特徴とする光変調器である。第９の発明は、ファイバアレイを用いたので、簡単に、集光用光学素子と前記光変調素子の対応付けができ、しかも、遮光部又は光吸収部の形成が容易に行える。
【００１９】
第１０の発明は、読み出し光を発生する光源と、前記光源から放射された光を原色光に分光する分光手段と、前記分光手段によって分光された光を変調する第１〜第９のいずれか１つの発明の光変調器と、前記光変調器によって変調された前記読み出し光を投写する投写手段と、を備えた投写型表示装置である。第１０の発明は、前記各光変調器を用いるので、有効に混色を防止できる。また、光の利用効率もよい。
【００２０】
第１１の発明は、第１０の発明の投写型表示装置において、前記分光手段は、前記中央の画素部には、垂直な光束を入射させ、両側の画素部には斜めの光束を入射させることを特徴とする投写型表示装置である。第１１の発明は、光束が両側の画素部に斜めに入射するので、前記各光変調器による混色の防止をより有効に行うことができる。
【００２１】
【発明の実施の形態】
以下、図面などを参照しながら、本発明の実施の形態をあげて、さらに詳細に説明する。
【００２２】
（投写型表示装置の第１実施形態）
図１は、本発明による投写型表示装置の第１実施形態の全体の構成を示す図である。
【００２３】
第１実施形態の投写型表示装置１０は、光源１１と、ダイクロイックミラー１２と、透過型液晶表示パネル１３と、投写レンズ１４とを備え、スクリーン１５に読み出し光を拡大投写する装置である。
【００２４】
光源１１は、読み出し光を発生するためのものであり、メタルハライドランプ，ハロゲンランプ、キセノンランプ等の白色光を発光する発光部１１ａと、発光部１１ａの背面に、その中心が発光部１１ａの中心と略一致するように配置された凹面鏡１１ｂと、発光部１１ａの前面に、その焦点が発光部１１ａの中心と略一致するように配置されたコンデンサレンズ１１ｃ等とを備えている。この光源１１から発光した光は、略平行な白色光束となり、ダイクロイックミラー１２に入射される。
【００２５】
ダイクロイックミラー（分光手段）１２は、青色光Ｂ，緑色光Ｇ，赤色光Ｒ，を選択的に反射又は透過する３枚のダイクロイックミラー１２Ｂ，１２Ｇ，１２Ｒを備えている。例えば、ダイクロイックミラー１２Ｂは、青色光Ｂを反射し、緑色光Ｇ，赤色光Ｒを透過するミラーである。ダイクロイックミラー１２Ｇは、ダイクロイックミラー１２Ｂを透過した緑色光Ｇ，赤色光Ｒをさらに分離するミラーであって、緑色光Ｇを反射して、赤色光Ｒを透過する。ダイクロイックミラー１２Ｒは、ダイクロイックミラー１２Ｇを透過した赤色光Ｒを反射するミラーである。各ダイクロイックミラー１２Ｂ，１２Ｇ，１２Ｒは、互いに所定の角度を持って配置されており、反射した光は、透過型液晶表示パネル１３にそれぞれ異なる角度で入射する。
【００２６】
投写レンズ１４は、透過型液晶表示パネル１３からの光を、スクリーン１５に拡大投写するための光学系である。
【００２７】
（透過型液晶表示パネルの第１実施形態）
図２は、本発明による透過型液晶表示パネルの第１実施形態を示す図である。この透過型液晶表示パネル１３は、液晶表示素子２０と、マイクロレンズアレイ３０と、遮光部（混色防止手段）４１とを備えている。
【００２８】
液晶表示素子２０は、画素電極２２、走査電極（図示せず）及びデータ電極（図示せず）が設けられた素子基板２１と、対向基板２５と、液晶層２３等とから構成されている。素子基板２１と対向基板２５とは、それぞれ透明なガラス製等の基板であり、その間に液晶層２３が封止されている。画素電極２２と対向電極２４とは、その間に印加された駆動電圧によって液晶層２３を駆動するためのものであり、それぞれ素子基板２１，対向基板２５の内面に透明導電膜によって形成されている。
【００２９】
素子部２２ａは、液晶層２３を駆動するスイッチング素子が設けられ、例えば薄膜トランジスタ（Thin Film  Transistor：ＴＦＴ）が、各色用の画素部２２Ｒ，２２Ｇ，２２Ｂに対応して走査電極とデータ電極が交差する部分ごとにマトリクス状に形成されている。画素部２２Ｒ，２２Ｇ，２２Ｂは、ダイクロイックミラー１２で反射された赤色光Ｒ、緑色光Ｇ、青色光Ｂがそれぞれ透過する位置に配置され、赤色光、緑色光、青色光用の駆動信号が印加される。また、対向基板２５には、素子部２２ａ、走査電極及びデータ電極と対応する位置に、遮光部２４ａが形成されている。なお、対向基板２５に対向電極２４が設けられているが、液晶層２３に対してほぼ平行に形成される電界によって液晶層２３を駆動するように構成された素子基板２１を用いた透過型液晶表示パネルの場合には、対向基板２５上に対向電極は不要となる。
【００３０】
なお、透過型液晶表示パネルは、スイッチング素子としてＴＦＴ素子を用いたものに限らず、例えば薄膜ダイオード（Thin Film Diode：ＴＦＤ）素子を用い たものでもよく、また、アクティブマトリクス型に限らず、パッシブマトリクス型の液晶表示パネルであってもよい。
【００３１】
マイクロレンズアレイ３０（集光用光学素子）は、ベース部３１と、そのベース部３１に形成された複数のマイクロレンズ３２と、液晶表示素子２０の対向基板２５に接着するための接着層３３とを備えており、図１のダイクロイックミラー１２からの光束を各画素部２２Ｒ，２２Ｇ，２２Ｂに集光するための光学素子である。
【００３２】
図３は、第１実施形態による透過型液晶表示パネルの各画素部と、マイクロレンズとの関係を示す正面図である。画素部２２Ｒ，２２Ｇ，２２Ｂは、方形３分割された、ストライプ状の画素部である。マイクロレンズ３２は、その外形が円形形状の球面レンズであり、その直径ｄは、画素部２２Ｒ，２２Ｇ，２２Ｂの画素組のピッチｐと略同一である。また、接着層３３の屈折率は、マイクロレンズ３２の屈折率より小さく設定することにより、マイクロレンズ３２は、集光レンズとして機能している。
【００３３】
図４は、第１実施形態による透過型液晶表示パネルの遮光部を示す図である。第１実施形態の透過型液晶表示パネル１３は、斜めから入射する光束の内で、色純度を低下させる（対応する画素部以外の非対応画素部に入射する）部分をカットする遮光部４１が設けられている。この遮光部４１は、各画素部２２Ｒ，２２Ｇ，２２Ｂの画素組の境界付近（図３参照）であって、マイクロレンズ３２の端部に重なるように、水平方向（図４の横方向）に、マイクロレンズ３２の直径ｄと略同じピッチｐ１で配置されている。
【００３４】
図５、図６は、遮光部４１の形成位置を説明するための図である。ここでは、赤色光の光束Ｒ、緑色光の光束Ｇ、青色光の光束Ｂの内の、赤色光の光束Ｒのみを例にして説明する。赤色光の光束Ｒは、図５の中央のマイクロレンズ３２−１によって集光され、ほとんどがそのマイクロレンズ３２−１に対応する画素部２２Ｒ−１に入射する。しかし、端部付近の光束Ｒｍ−１は、隣接するマイクロレンズ３２−２に対応する画素部（非対応画素部）２２Ｂ−２に入射してしまい、混色が発生する。また、図６に示すように、中央のマイクロレンズ３２−１に対応する赤色の画素部２２Ｒ−１には、上隣のマイクロレンズ３２−２の青色の端部の光束Ｂｍ−２が入射する可能性がある。
【００３５】
同様に、中央のマイクロレンズ３２−１の下隣のマイクロレンズ３２−３との間でも、下隣の赤色の画素部２２Ｒ−３へ入射する光束Ｂｍ−１と、下隣のマイクロレンズ３２−３から、中央のマイクロレンズ３２−１に対応する青色の画素部２２Ｂ−１へ入射する光束Ｒｍ−３が存在する。
【００３６】
そこで、この実施形態では、中央のマイクロレンズ３２−１と、それに対応する画素部２２Ｒ−１，２２Ｇ−１，２２Ｂ−１の画素組についていえば、光束Ｒｍ−１，光束Ｂｍ−２，光束Ｂｍ−１，光束Ｒｍ−３の通過する位置に、図２，図４に示すような遮光部４１を設けたものである。
【００３７】
第１実施形態によれば、遮光部４１を設けたので、非対応画素部への不要光は遮光されるので、混色を防止することができる。また、マイクロレンズアレイの入射側に遮光部を設けたので、それ以降の部分で、迷光が発生することもない。
【００３８】
（透過型液晶表示パネルの第２実施形態）
図７は、本発明による透過型液晶表示パネルの第２実施形態を示す図である。なお、以下に説明する各実施形態では、前述した第１実施形態と同様の機能を果たす部分には、同一の符号を付して、重複する説明を適宜省略する。第２実施形態の透過型液晶表示パネル１３Ｂは、斜めから入射する光束の内で、色純度を低下させる（対応する画素部以外の非対応画素部に入射する）部分をカットするダイクロイックミラー４２Ｒ−１，４２Ｂ−２，４２Ｂ−１，４２Ｒ−３などが用いられている。
【００３９】
ダイクロイックミラー４２Ｒ−１は、中央のマイクロレンズ３２−１の上端部に形成され、赤色光Ｒのみを反射して、緑色光Ｇと青色光Ｂを透過するミラーである。従って、ダイクロイックミラー４２Ｒ−１に入射した光は、赤色光Ｒのみを反射するので、中央のマイクロレンズ３２−１の上端部から上隣のマイクロレンズ３２−２に対応する画素部２２Ｂ−２には、赤色光Ｒが入射することはなく、混色を防止することができる。また、緑色光Ｇと青色光Ｂが入射するので、光利用効率が高くなる。
【００４０】
ダイクロイックミラー４２Ｂ−２は、上隣のマイクロレンズ３２−２の下端部に形成され、青色光Ｂのみを反射して、緑色光Ｇ及び赤色光Ｒを透過するミラーである。従って、ダイクロイックミラー４２Ｂ−２に入射した光は、青色光Ｂのみを反射するので、上隣のマイクロレンズ３２−２の下端部から中央のマイクロレンズ３２−１側の上端の画素部２２Ｒ−１には、青色光Ｂが入射することはなく、混色を防止することができる。また、緑色光Ｇ及び赤色光Ｒが入射するので、光利用効率が高くなる。
【００４１】
ダイクロイックミラー４２Ｂ−１は、中央のマイクロレンズ３２−１の下端部に形成され、青色光Ｂのみを反射して、緑色光Ｇ及び赤色光Ｒを透過するフィルタであって、ダイクロイックミラー４２Ｂ−２と同様の動作をする。
【００４２】
ダイクロイックフィルタ４２Ｒ−３は、下隣のマイクロレンズ３２−３の上端部に形成され、赤色光Ｒのみを反射して、緑色光Ｇ及び青色光Ｂを透過するフィルタであって、ダイクロイックミラー４２Ｒ−１と同様の動作をする。
【００４３】
第２実施形態の反射型液晶表示パネル１３Ｂによれば、第１実施形態の効果に加えて、ダイクロイックミラーを通過する分だけ、光利用効率が高くなる。
【００４４】
（透過型液晶表示パネルの第３実施形態）
図８は、第３実施形態に係る透過型液晶表示パネルの遮光部の形状を説明する図である。図８（ａ）において、赤色光Ｒのある角度成分の光束から、マイクロレンズを通して見たＲ画素部の上側のエッジ像は、破線で示したような形状であるとする。すると、領域Ａに向かう光束は、目的とするＲ画素部に入射するが、領域Ｂに向かう光束は、隣の画素部に入射して混色の原因となる。混色を完全に抑えるためには、遮光部は、図８（ｂ）に示すように、ストライプ状にする必要がある。しかし、このようにすると、本来、Ｒ画素部に入射する領域Ｃに向かう光束も、ストライプ状の遮光部で遮られてしまい、光の利用効率が低下してしまう。そこで、光の利用効率を最大限に上げるために、遮光部のエッジ形状を、図８（ａ）のエッジ像と同じにすればよい。これは見方を変えれば、ＲＧＢの画素組をひとつの開口と見なした場合、この開口によって制限される光束の形状と、遮光部により制限される光束の形状を略一致させることに等しい。ここまでは、赤色光Ｒについて考えてきたが、青色光Ｂについても同様の考えかたをし、それら双方を考慮すると、図８（ｃ）のような略楕円の開口形状となる。遮光部をこのような形状とすることにより、混色を有効に防止すると共に光利用効率の向上がはかれる。
【００４５】
（透過型液晶表示パネルの第４実施形態）
図９は、本発明による透過型液晶表示パネルの第４実施形態を示す図である。第４実施形態の透過型液晶表示パネル１３Ｄは、第２実施形態（図７）のストライプ状のダイクロイックミラーを、図８の遮光部と同様な形状に設けたものである。すなわち、中央，上隣，下隣の各マイクロレンズ３２−１，３２−２，３２−３の上端部に、ダイクロイックミラー４４Ｒ−１，４４Ｒ−２，４４Ｒ−３を設け、下端部にダイクロイックミラー４４Ｂ−１，４４Ｂ−２，４４Ｂ−３を設けたものである。
【００４６】
従って、第４実施形態によれば、斜め方向からの光束を遮光して、混色をより有効に防止できると共に、ダイクロイックミラーを透過した分だけ、光利用効率が高くなる。
【００４７】
（透過型液晶表示パネルの第５実施形態）
図１０は、本発明による透過型液晶表示パネルの第５実施形態を示す図である。第５実施形態の透過型液晶表示パネル１３Ｅは、液晶表示素子２０と、マイクロレンズアレイ３０との間に、ファイバアレイ５０を設けたものである。
【００４８】
ファイバアレイ５０は、マイクロレンズ３２と略同じ直径のファイバ素子５１を束ねた形態であり、それぞれのファイバ素子５１の間に光吸収層（混色防止手段）４５が設けられている。
【００４９】
第５実施形態によれば、光吸収層によって仕切られたファイバ素子をもつファイバアレイを設けたので、マイクロレンズと画素組とが１対１に対応し、混色を有効に防止できる。また、ファイバ素子によって、マイクロレンズアレイ３０以降の迷光が発生することがない。さらに、ファイバ素子の間に光吸収層を設けるので、製造が容易である。
【００５０】
（変形形態）
以上説明した実施形態に限定されることなく、種々の変形や変更が可能であって、それらも本発明の均等の範囲内である。
【００５１】
（１）マイクロレンズアレイは、集光の機能を果たせば、レンチキュラーレンズシートや他の光学素子の組み合わせにより、実施することができる。
【００５２】
（２）マイクロレンズと接着層との凹凸の関係は、両者の屈折率差さえ満足すれば逆でも構わない。
【００５３】
（３）図７，図９では、ダイクロイックミラーを例に説明したが、ダイクロイックフィルタを用いるようにしてもよい。
【００５４】
（４）透過型の液晶表示パネルの例で説明したが、反射型液晶表示パネルにも同様に適用することができる。また、マイクロミラーによって光変調を行う反射型の光変調素子を用いたものにも同様に適用できる。
【００５５】
（５）図１０の光吸収層４５は、反射層であってもよい。
【００５６】
（６）図１０のファイバアレイにマイクロレンズを一体に形成してもよい。
【００５７】
（７）ファイバアレイの代わりに、対向基板に光軸に平行な溝を、彫り込みやエッチングによって形成し、その溝に光吸収インキをしみ込ませるようにして、光吸収層を形成してもよい。
【００５８】
（８）各色画素の配列順序は、マイクロレンズ中心にＧ画素、それを挟むようにＲ，Ｂ画素が配列されている必要はなく、いかなる順序もとれる。その際、各色画素の配列の順序に応じてダイクロイックミラーの特性を変える。また、ダイクロイックミラーの高性能化、製造の容易さの観点から見て画素配列を変えることもできる。
【００５９】
（９）本発明においては、混色防止手段として説明したが、本発明は、完全な混色防止に限らず、表示品質上問題とならない程度に混色を低減した状態もとりうる。
【図面の簡単な説明】
【図１】本発明による投写型表示装置の第１実施形態の全体の構成を示す図である。
【図２】本発明による透過型液晶表示パネルの第１実施形態を示す図である。
【図３】第１実施形態による透過型液晶表示パネルの各画素部と、マイクロレンズとの関係を示す正面図である。
【図４】第１実施形態による透過型液晶表示パネルの遮光部を示す図である。
【図５】第１実施形態による透過型液晶表示パネルの遮光部の形成位置を説明するための図である。
【図６】第１実施形態による透過型液晶表示パネルの遮光部の形成位置を説明するための図である。
【図７】本発明による透過型液晶表示パネルの第２実施形態を示す図である。
【図８】第３実施形態に係る透過型液晶表示パネルの遮光部の形状を説明するための図である。
【図９】本発明による透過型液晶表示パネルの第４実施形態を示す図である。
【図１０】本発明による透過型液晶表示パネルの第５実施形態を示す図である。
【図１１】従来の光変調器とその問題を説明する図である。
【符号の説明】
１０  投写型表示装置
１１  光源
１２  ダイクロイックミラー
１３  液晶表示パネル
１４  投写レンズ
１５  スクリーン
２０  液晶表示素子
２１  素子基板
２２  画素電極
２３  液晶層
２５  対向基板
３０  マイクロレンズアレイ
３１  ベース部
３２  マイクロレンズ
３３  接着層
４１，４３  遮光部
４２，４４ダイクロイックフィルタ
４５  光吸収部
５０  ファイバアレイ
【図１】
0003707261.tif 000002
【図２】
0003707261.tif 000003
【図３】
0003707261.tif 000004
【図４】
0003707261.tif 000005
【図５】
0003707261.tif 000006
【図６】
0003707261.tif 000007
【図７】
0003707261.tif 000008
【図８】
0003707261.tif 000009
【図９】
0003707261.tif 000010
【図１０】
0003707261.tif 000011
【図１１】
0003707261.tif 000012